(57)【要約】【課題】スタック積層方向端部に配置された端部セルの残留水分が所定基準量を越えているときに、その残留水分を除去できる燃料電池システム及びその制御方法を提供する。【解決手段】燃料電池スタックは、スタックの積層方向の始端側又は終端側の端部に配置される端部セルと、前記端部セルと絶縁部材を挟んで配置されるスタック本体部とを含み、前記スタック本体部を発電しない状態で、前記端部セルを発電してその発電電力を取り出す電力取出手段を備える。この電力取出手段は、端部セルのカソードとアノードを負荷に電気的に接続し、端部セルを発電して、その発電電力を負荷に供給する構成とすることができる。【選択図】図１
2008041455.tif 000002
【特許請求の範囲】
【請求項１】
複数のセルが積層された燃料電池スタックを備える燃料電池システムにおいて、
前記スタックは、前記スタックの積層方向端部に配置される端部セルと、
前記端部セルと絶縁部材を挟んで配置されるスタック本体部とを含み、
前記スタック本体部を発電しない状態で、前記端部セルを発電して発電電力を取り出す電力取出手段を備えることを特徴とする燃料電池システム。
【請求項２】
前記電力取出手段は、
前記端部セルのカソードとアノードを負荷に接続することを特徴とする請求項１記載の燃料電池システム。
【請求項３】
前記端部セルは、前記スタックの積層方向両端に配置されていることを特徴とする請求項１に記載の燃料電池システム。
【請求項４】
前記電力取出手段は、
前記スタックの積層方向両端に配置される前記端部セルのうち何れか一方の端部セルのカソードと負荷とを接続し、
他方の端部セルのアノードと負荷とを接続し、
前記一方の端部セルのアノードと、
前記他方の端部セルのカソードとを接続することを特徴とする請求項３に記載の燃料電池システム。
【請求項５】
さらに前記燃料電池システムは、前記端部セルの残留水分を検出する手段を備え、
前記電力取出手段は、発電運転停止時に、前記端部セルの残留水分を検出する手段によって、残留水分が所定の基準水分量を超えていると判断された場合に、
該端部セルから発電電力を取り出すことを特徴とする請求項１から４のいずれか１に記載の燃料電池システム。
【請求項６】
複数のセルが積層された燃料電池スタックを備える燃料電池システムの制御方法において、
前記スタックの積層方向端部に配置される端部セルと絶縁部材を挟んで配置されるスタック本体部を発電しない状態で、
前記端部セルを発電して発電電力を取り出すことを特徴とする燃料電池システム制御方法。
【請求項７】
前記端部セルは、前記スタックの積層方向両端に配置されていることを特徴とする請求項６に記載の燃料電池システム制御方法。
【請求項８】
発電運転停止時に前記端部セルの残留水分が所定の基準水分量を超えていると判断された場合に、
該端部セルを発電して発電電力を取り出すことを特徴とする請求項６又は７に記載の燃料電池システム制御方法。
【発明の詳細な説明】
【技術分野】
【０００１】
本発明は、複数のセルが積層された燃料電池スタックを備える燃料電池システム及びその制御方法に関する。
【背景技術】
【０００２】
従来の燃料電池発電システムにおいては、燃料電池の発電運転を停止する際に、燃料電池の内部が乾燥に必要な温度に達していないときには更に発電処理を行うことによって燃料電池自体を発熱させ、その熱を利用して電池内部に存在する水分を除去する技術が知られている（例えば特許文献１参照）。
【０００３】
特許文献１には、複数のセルが積層された燃料電池スタックを複数備え、少なくとも１つのスタックにおいて乾燥に必要な温度に達していないときには、該スタックを発電する技術が開示されている。
【０００４】
そのため、複数の燃料電池スタックのうちの少なくとも１つのスタックにおいて乾燥に必要な温度に達していないときには、該スタックを発電させることによりスタック内の残留水分を除去することを可能とする。
【０００５】
【特許文献１】特開２００４−３１１２７７号公報
【発明の開示】
【発明が解決しようとする課題】
【０００６】
ここで、複数のセルが積層された燃料電池スタックの積層方向端部に配置される端部のセルは外気に近接して配置されるために温度が冷えやすく、水分が残りやすい。
【０００７】
スタック内の端部セルのみに残留水分が存在し、該残留水分を除去したい場合にスタック全体で発電すると、端部セル以外の残留水分が存在しないセルをも発電することになり、燃料である水素を無駄に消費してしまうという課題があった。
【課題を解決するための手段】
【０００８】
本発明は、複数のセルが積層された燃料電池スタックを備える燃料電池システムにおいて、燃料電池スタックは、スタックの積層方向の始端側又は終端側の端部に配置される端部セルと、前記端部セルと絶縁部材を挟んで配置されるスタック本体部とを含み、前記スタック本体部を発電しない状態で、前記端部セルを発電してその発電電力を取り出す電力
取出手段を備えることを特徴とする。
【０００９】
本発明の燃料電池システムにおいて、電力取出手段は端部セルのカソードとアノードを負荷に電気的に接続し、端部セルを発電して、その発電電力を負荷に供給する構成とすることが好適である。
【００１０】
かかる構成によれば、スタック全体を発電することなく端部セルのみを発電して、端部セルの残留水分を除去することが可能であるため、水素ガスの無駄な消費を防止できる。
【００１１】
本発明の燃料電池システムにおいて、端部セルはスタックの積層方向の始端側及び終端側の両方の端部に配置される構成とすることが好適である。
【００１２】
本発明の燃料電池システムにおいて、端部セルがスタックの積層方向の始端側及び終端側の両方の端部に配置される態様にあっては、電力取出手段は、前記スタックの始端側及び終端側の両方の端部に配置される端部セルのうち何れか一方の端部セルのカソードと負荷とを電気的に接続し、他方の端部セルのアノードと負荷とを電気的に接続し、一方の端部セルのアノードと、他方の端部セルのカソードとを電気的に接続して、スタックの積層方向の始端側及び終端側の両方の端部に配置される端部セルを発電してその発電電力を負荷に供給する構成とすることが好適である。
【００１３】
かかる構成によれば、端部セルがスタックの積層方向の始端側及び終端側の両方の端部に配置される態様であっても、スタック全体を発電することなくスタックの積層方向の始端側及び終端側の両方の端部に配置される端部セルを発電して、端部セルの残留水分を除去することが可能である。
【００１４】
本発明の燃料電池システムにおいて、端部セルの残留水分を検出する手段を備え、電力取出手段は、発電運転停止時に、端部セルの残留水分を検出する手段によって、残留水分が所定の基準水分量を超えていると判断された場合に、その端部セルを発電して発電電力を取り出す構成とすることが好適である。
【００１５】
かかる構成によれば、端部セルの残留水分を検出する手段の検出値に基づき、端部セルを発電して残留水分を除去することが可能であり、発電運転停止時にスタック内を乾燥状態に保持することができる。
【００１６】
本発明は、複数のセルが積層された燃料電池スタックを備える燃料電池システムの制御方法において、前記スタックの積層方向の始端側又は終端側の端部に配置される端部セル
と絶縁部材を挟んで配置されるスタック本体部を発電しない状態で、前記端部セルを発電してその発電電力を取り出すことを特徴とする。
【００１７】
本発明の燃料電池システムの制御方法において、端部セルは、スタックの積層方向の始端側及び終端側の両方の端部に配置される構成とすることが好適である。
【００１８】
本発明の燃料電池システムの制御方法において、発電運転停止時に端部セルの残留水分が所定の基準水分量を超えていると判断された場合に、その端部セルを発電してその発電電力を取り出す構成とすることが好適である。
【発明の効果】
【００１９】
本発明によれば、燃料電池スタック全体を発電することなく端部セルのみを発電するため、水素ガスの無駄な消費を防ぐことができる。
【発明を実施するための最良の形態】
【００２０】
「実施形態１」
以下、本発明を実施するための形態（以下実施形態という）を図面に従って説明する。
【００２１】
図１は、本発明の燃料電池システムの構成の概略を示す図である。本発明の実施形態における燃料電池システムは、燃料電池スタック１０、負荷２０、制御部３０を備えている。
【００２２】
燃料電池スタック１０は、単セルを複数積層して構成されている。個々の単セルは、電解質膜（例えば高分子膜）が、アノード電極とカソード電極で挟持され、さらにその両側をセパレータで挟み込む構造となっている。上記単セルの構造は、従来より広く知られている燃料電池の単セル構造と同様である。
【００２３】
ここで、燃料電池スタック１０は、スタックの積層方向始端側及び終端側の両方の端部に配置される端部セル１２ａ，１２ｂと、絶縁部材１４、端部セルと絶縁部材を挟んで配置される１又は複数のセルからなるスタック本体部１６とからなる。絶縁部材１４は、端部セル１２ａ，１２ｂとスタック本体部１６とを絶縁するためのものであり、例えばゴム板等でも良い。
【００２４】
燃料電池スタック１０は、燃料である水素ガス及び酸化剤である空気の供給を受けて電力を発電する。本実施形態においては、燃料ガス及び酸化剤ガスの循環経路は図１の矢印によって示される構成としたが、これに限らず種々の変形が可能であることは勿論である。
【００２５】
燃料電池スタック１０を構成する端部セル１２ａ，１２ｂのうち、一方の端部セル１２ａのカソードはスイッチ３１によってモータ等の負荷２０と電気的に接続可能であり、他方の端部セル１２ｂのアノードはスイッチ３２によって負荷２０と電気的に接続可能である。また、スイッチ３５によって一方の端部セル１２ａのアノードと他方の端部セル１２ｂのカソードとが電気的に接続可能である。そして、スイッチ３３によって前記一方の端部セル１２ａのアノードとスタック本体部１６を構成する複数のセルのうち前記一方の端部セル１２ａに最も近接して配置される単セルのカソードとが電気的に接続可能である。さらに、スイッチ３４によって前記他方の端部セル１２ｂのカソードとスタック本体部１６を構成する複数のセルのうち前記他方の端部セル１２ｂと最も近接して配置される単セルのアノードとが電気的に接続可能である。
【００２６】
上記スイッチの動作を組み合わせることにより、スタック本体部を発電しない状態で、端部セル１２ａ，１２ｂ両方を発電して発電電力を取り出すことが可能であるが、詳細な動作については後述する。
【００２７】
更に本実施形態においては、スイッチ３６及びスイッチ３７が設けられており、これらのスイッチの動作と上記スイッチ３１から３５の動作とを組み合わることによって端部セル１２ａ，１２ｂのうち一方の端部セルを発電して発電電力を取り出すことが可能であるが、詳細な動作については後述する。
【００２８】
ここで、スイッチ３１から３７は制御部３０と接続されており、制御部３０によって動作が制御されるようになっている。通常の燃料電池システム運転時においては、燃料電池スタック１０全体が発電し、その発電電力を負荷２０に供給することになるが、かかる場合について以下に説明する。図１において、制御部３０からの信号によりスイッチ３１及びスイッチ３２が動作してその接点が閉じ、一方の端部セル１２ａのカソードと、他方の端部セル１２ｂのアノードが負荷２０に電気的に接続される。そしてスイッチ３３が動作してその接点が閉じ、一方の端部セル１２ａのアノードと、スタック本体部１６を構成する複数のセルのうち前記一方の端部セル１２ａと最も近接して配置される単セルのカソードとが電気的に接続される。また、スイッチ３４が動作してその接点が閉じ、他方の端部セル１２ｂのカソードとスタック本体部１６を構成する複数のセルのうち前記他方の端部セル１２ｂと最も近接して配置される単セルのアノードとが電気的に接続される。また、スイッチ３５は動作せずに接点は開いた状態のままであり、端部セル１２ａのアノードと端部セル１２ｂのカソードとは電気的に接続されない。また、スイッチ３６及び３７も動作せずに接点は開いた状態のままである。
【００２９】
上記構成によれば、スタック本体部１６と端部セル１２ａ，１２ｂと負荷とが直列に接続されることになり、水素ガス及び空気の供給を受けてスタック本体部１６と端部セル１２ａ，１２ｂが発電し、その発電電力が負荷２０へ供給される。
【００３０】
次に、スタック本体部１６を発電しない状態で、スタックの積層方向始端側及び終端側の両方の端部に配置される端部セル１２ａ，１２ｂのうち、何れか１つの端部セルを発電する場合について説明する。先ず、一方の端部セル１２ａを発電する場合について説明すると、図１において、制御部３０からの信号によりスイッチ３１、スイッチ３５、スイッチ３７が動作してその接点が閉じ、一方の端部セル１２ａのカソードとアノードが負荷２０に電気的に接続される。また、他方の端部セル１２ｂを発電する場合は、制御部３０からの信号によりスイッチ３２、スイッチ３５、スイッチ３６が動作してその接点が閉じ、他方の端部セル１２ｂのカソードとアノードが負荷２０に電気的に接続される。かかる構成によれば、端部セル１２ａ，１２ｂの何れか１つの端部セルと負荷とが閉ループ回路を構成し、水素ガス及び空気の供給を受けて、端部セル１２ａ，１２ｂの何れか１つの端部セルが発電する。
【００３１】
上記の場合において、スイッチ３３及び３４の接点は開いた状態となり、スタック本体部１６はスタック両端の端部セル１２ａ，１２ｂ及び負荷２０と電気的に接続されない状態になる。そうすると、スタック本体部１６のセルにおいて発電を担う電気化学反応は進まなくなり、スタック本体部１６に水素ガスを供給しても水素ガスはイオン化（Ｈ２→２Ｈ＋＋２ｅ−）されないため、水素ガスはスタック本体部では消費されないことになる。
【００３２】
上述したように、制御部３０とスイッチ３１から３７で構成される電力取出手段によって、スタック本体部１６を発電しない状態で、端部セル１２ａ，１２ｂの何れか１つの端部セルを発電して発電電力を取り出すことができる。
【００３３】
次に、スタック本体部１６を発電しない状態で、スタックの積層方向始端側及び終端側の両方の端部に配置される端部セル１２ａ，１２ｂ両方を発電する場合について説明する。図１において、制御部３０からの信号によりスイッチ３１及びスイッチ３２の接点が閉じ、一方の端部セル１２ａのカソードと、他方の端部セル１２ｂのアノードとが負荷２０に電気的に接続される。また、スイッチ３３及び３４の接点は開いた状態のままであり、端部セル１２ａ，１２ｂとスタック本体部１６は電気的に接続されない状態になる。そして、スイッチ３５の接点が閉じ、一方の端部セル１２ａのアノードと他方の端部セル１２ｂのカソードとが電気的に接続される。かかる接続状態によれば、端部セル１２ａ，１２ｂと負荷が電気的に直列に接続され、水素ガス及び空気の供給を受けて、端部セル１２ａ，１２ｂの両方が発電する。
【００３４】
上記の場合においても、スイッチ３３及び３４の接点は開いた状態となり、スタック本体部１６は端部セル１２ａ，１２ｂ及び負荷２０と電気的に接続されない状態になるため、上述したようにスタック本体部１６においては水素ガスは消費されない。
【００３５】
上述したように、制御部３０とスイッチ３１から３５で構成される電力取出手段によって、スタック本体部１６を発電しない状態で、端部セル１２ａ，１２ｂ両方を発電して発電電力を取り出すことができる。
【００３６】
端部セル１２ａ，１２ｂには、それぞれの発電起電力を検知する電圧センサ４２，４６が設けられており、電圧センサ４２，４６の検出値が所定値以下の場合には、端部セル１２ａ，１２ｂの残留水分が所定の基準水分量を超えているものと判断することができる。セルの残留水分が所定の基準水分量を越えると、セルのカソード極の細孔が水分によって塞がれ、酸化剤ガスである空気の供給が阻害されてセルの電圧低下が生じるためである。
【００３７】
また、スタック本体部１６にも発電起電力を検知する電圧センサ４４が設けられており、上記と同様にスタック本体部１６の残留水分を検知することができる。本実施形態においては、スタック本体部１６を構成する複数のセルの１つの代表セルにセンサ４４を設け、その検出値に基づいてスタック本体部１６の残留水分を検知する態様のものとしているが、例えば代表セルを複数設定する態様のものであっても良い。上述した電圧センサ４２，４４，４６は制御部３０と接続されている。
【００３８】
制御部３０は、上記電圧センサ４２，４４，４６の検出値に基づき、例えば発電運転停止時において燃料電池スタック１０全体を発電するか端部セル１２ａ，１２ｂ両方又は何れか一方を発電するかを決定することができる。
【００３９】
次に、制御部３０によって実行される発電制御について説明する。図２は、制御部３０により実行される発電制御の一例を示すフローチャートである。
【００４０】
この発電制御は、先ずステップＳ１０１において燃料電池システムの停止要求フラグがＯＮであるか否かが判断され、ＯＮであると判断された場合は、次のステップＳ１０２に進む。ＯＮでないと判断された場合には、燃料電池システムの停止要求があるまで通常の発電運転で制御される。
【００４１】
ステップＳ１０２においては、スタック本体部１６の残留水分が所定基準量を超えているか否かが判断される。ここでは、電圧センサ４４の検出値が所定値以下であるか否かを判定することで、スタック本体部１６の中の残留水分が所定基準量を超えているか否かを判断することができる。スタック本体部１６の残留水分が所定基準量を超えていないと判断される場合は、ステップＳ１０３に進み、スタック本体部１６の残留水分が所定基準量を超えていると判断される場合は、ステップＳ１０６に進む。
【００４２】
ステップＳ１０６においては、燃料電池スタック１０全体を発電し、スタック本体部の残留水分が所定基準量を越えていないと判断されるまで継続して行われる。そして、スタック本体部１６の残留水分が所定基準量を越えていない判断されたときは、上記と同様にステップＳ１０３に進む。
【００４３】
ステップＳ１０３においては、端部セル１２ａ，１２ｂの残留水分が両方共所定基準量を超えているか否かが判断される。ここでは、電圧センサ４２，４６の検出値が共に所定値以下であるか否かを判定することで、端部セル１２ａ，１２ｂの残留水分が両方共所定基準量を超えているか否かを判断することができる。そして、端部セル１２ａ，１２ｂの残留水分が両方共所定基準量を超えていないと判断される場合は、ステップＳ１０４に進み、端部セル１２ａ，１２ｂの残留水分が両方共所定基準量を超えていると判断される場合は、ステップＳ１０７に進む。
【００４４】
ここで、一方の端部セルの残留水分は所定基準量を越えていても、他方の端部セルの残留水分は所定基準量を越えていないときは、端部セル１２ａ，１２ｂの残留水分が「両方共」所定基準量を超えている状態ではないと判断され、ステップＳ１０４に進む。
【００４５】
ステップＳ１０７においては、スタック本体部１６を発電しない状態で、端部セル１２ａ，１２ｂを両方発電して発電電力を取り出し、端部セル１２ａ，１２ｂの残留水分が両方共所定基準量を越えていないと判断されるまで継続して行われる。そして、端部セル１２ａ，１２ｂの残留水分が両方共所定基準量を超えていないと判断されたときは、上記と同様にステップＳ１０４に進む。
【００４６】
ステップＳ１０４においては、端部セル１２ａ，１２ｂのうち何れか一方の端部セルの残留水分が所定基準量を越えているか否かが判断される。ここでは、電圧センサ４２，４６の検出値のうち何れか一方が所定値以下であるか否かを判定することで、端部セル１２ａ，１２ｂのうち何れか一方の残留水分が所定基準量を越えているか否かを判断することができる。そして、端部セル１２ａ，１２ｂの何れも残留水分が所定基準量を越えていないと判断されたときは、ステップＳ１０５に進み、ステップＳ１０５において燃料電池システムを停止する。一方、端部セル１２ａ，１２ｂのうち何れか一方の端部セルの残留水分が所定基準量を越えていると判断されたときは、ステップＳ１０８に進む。
【００４７】
ステップＳ１０８においては、スタック本体部１６を発電しない状態で、端部セル１２ａ，１２ｂのうち、残留水分が所定基準量を越えていると判断された１つの端部セルを発電して発電電力を取り出し、該端部セルの残留水分が所定基準量を越えていないと判断されるまで継続して行う。そして、該端部セルの残留水分が所定基準量を越えていないと判断されたときは、上記と同様にステップＳ１０５において燃料電池システムを停止する。
【００４８】
本実施形態によれば、燃料電池システムの発電運転停止時において端部セル１２ａ，１２ｂの何れか一方又は両方の残留水分が所定基準量を超えており、スタック本体部の残留水分が所定基準量を越えていないときにも、燃料電池スタック１０全体を発電することなく、端部セル１２ａ，１２ｂの何れか一方又は両方を発電し、その発熱を利用して残留水分を除去することが可能であり、燃料ガスである水素ガスの無駄な消費を防止することができる。また、発電運転停止に燃料電池スタック１０内を乾燥状態に保持することができるため、次回の起動のときに、残留水分の凍結による発電障害等を引き起こすおそれもない。
【００４９】
本実施形態においては、燃料電池システムに停止要求が出されている場合に、上述の発電制御を行う例を中心に説明したが、例えば燃料電池システムに停止要求が出されていなくとも、システムの通常運転時に所定時間毎にスタック本体部１０及び端部セル１２ａ，１２ｂの残留水分を検出し、残留水分が所定基準量を越えていると判断されたときは、燃料電池スタック１０全体を発電又はスタック本体部１６は発電しない状態で端部セル１２ａ，１２ｂの何れか一方又は両方を発電するという制御ルーチンであっても良い。
【００５０】
本実施形態においては、端部セル１２ａ，１２ｂはスタックの積層方向の始端側又は終端側の両端部に配置される例を中心に説明したが、端部セルはスタック積層方向の始端側又は終端側の何れか一方のみに配置する構成であっても良い。そして、該１つの端部セルの残留水分が所定基準量を越えていると判断されたときは、スタック本体部を発電しない状態で、該１つの端部セルを発電して発電電力を取り出す構成としても良い。
【００５１】
本実施形態においては、端部セル１２ａ，１２ｂは各々１から９個の範囲のセルで構成することもできる。スタック積層方向始端側又は終端側の所定範囲に配置される１から９個のセルは、外気に近接して配置されることから温度が冷えやすく、水分が残りやすい。ここで、最も温度が下がりやすいのは外気側に最も近接して配置されるスタックの積層方向始端または終端に位置する単セルである。
【００５２】
本実施形態においては、電圧センサをスタック本体部１６及び端部セル１２ａ，１２ｂに設けて、スタック本体部１６の残留水分を検出する態様としているが、例えば、従来より広く知られている交流インピーダンス法等を用いて、これらのセルのインピーダンスを測定し、その測定値が所定値以下である場合には該セルの残留水分が所定基準量を超えていると判断する態様のものであっても良い。
【００５３】
本実施形態においては、端部セル１２ａ，１２ｂの残留水分が両方共所定基準量を越えているか否かを判断した後で、何れか一方の端部セルの残留水分が所定基準量を越えているか否かを判断する例を中心に説明したが、例えば、端部セル１２ａ，１２ｂの残留水分が両方共所定基準量を越えているか否かを判断するときに、一方の端部セルの残留水分が所定基準量を越えていたときは、他方の端部セルの残留水分が所定基準量を越えていなくても両方の端部セルを発電する態様のものであっても良い。
【００５４】
本実施形態においては、スタック本体部１６を発電しない状態で、端部セル１２ａ，１２ｂを両方発電するときに、端部セル１２ａ，１２ｂと負荷２０とを電気的に直列に接続する例を中心に説明したが、端部セル１２ａ，１２ｂと負荷とを電気的に並列に接続する構成であっても良い。以下、図３において、端部セル１２ａ，１２ｂと負荷とを電気的に並列に接続する構成について説明する。
【００５５】
「実施形態２」
図３は、本発明の別の実施形態に係る燃料電池システムの構成の概略を示す図である。本実施形態においては、スイッチ３８、スイッチ３９が追加されており、その他の構成は上述した実施形態と同一であるため、重複する部分については説明を省略する。
【００５６】
図３において、スタック本体部１６を発電しない状態で、スタックの積層方向始端側及び終端側の両方の端部に配置される端部セル１２ａ，１２ｂ両方を発電する場合について説明する。
【００５７】
制御部３０からの信号によりスイッチ３１及びスイッチ３２が動作してその接点が閉じ、一方の端部セル１２ａのカソードと、他方の端部セル１２ｂのアノードとが負荷２０に電気的に接続する。また、スイッチ３３及び３４は動作せずに接点は開いた状態のままであり、端部セル１２ａ，１２ｂとスタック本体部１６は電気的に接続されない状態になる。そして、スイッチ３５，３６，３９が動作してその接点が閉じ、一方の端部セル１２ａのカソードと他方の端部セル１２ｂのカソードとが電気的に接続し、一方の端部セル１２ａのアノードと他方の端部セル１２ｂのアノードとが電気的に接続する。また、スイッチ３７及びスイッチ３８は動作せずに接点は開いた状態のままである。そして、水素ガス及び空気の供給を受けて、端部セル１２ａ，１２ｂの両方が発電する。
【００５８】
上記構成によれば、スタック本体部１６を発電しない状態で、端部セル１２ａと端部セル１２ｂと負荷２０とは電気的に並列に接続し、該端部セル１２ａ，１２ｂ両方を発電してその発電電力を取り出すことができる。また、スタック本体部１６は端部セル１２ａ，１２ｂ及び負荷２０と電気的に接続されない状態になるため、上述したようにスタック本体部１６においては水素ガスは消費されず、水素ガスを無駄に消費することもない。その他の構成及び制御方法については、実施形態１と同様であるため、説明は省略する。
【００５９】
以上、本発明を実施するための形態について説明したが、本発明はこうした実施形態に何ら限定されるものではなく、本発明の要旨を逸脱しない範囲内において、種々なる形態で実施し得ることは勿論である。
【図面の簡単な説明】
【００６０】
【図１】本発明の実施形態１に係る燃料電池システムの構成の概略を示す図である。
【図２】本発明の実施形態１に係る制御部により実行される発電制御を説明するフローチャートである。
【図３】本発明の実施形態２に係る燃料電池システムの構成の概略を示す図である。
【符号の説明】
【００６１】
１０  燃料電池スタック、１２ａ，１２ｂ  端部セル、１４  絶縁部材、１６  スタック本体部、２０  負荷、３０  制御部、３１〜３９  スイッチ、４２，４４，４６  電圧センサ。
【図１】
2008041455.tif 000003
【図２】
2008041455.tif 000004
【図３】
2008041455.tif 000005